(57)【要約】  【課題】  前面扉の透明窓に光の装飾演出効果を持たせて、遊技における臨場感が非常に高められるパチンコ遊技機を提供する。  【解決手段】  遊技盤の前面扉１０に内部図柄５９、６０を設けた透明板５４を装着し、透明板５４の端部に可変発光する光源５７を設け、遊技に連動して発光させるようにした。透明板の端部に可変発光する光は、透明板５４内を通って透明板内の内部図柄５９、６０に反射し、遊技盤の前面からはこの反射された光が遊技に連動して発光する。  【選択図】    図２
2005245806.tif 000002
【特許請求の範囲】
【請求項１】
遊技盤前面の前面扉にガラス板を装着し、ガラス板を介して遊技盤を視認するパチンコ遊技機において、
前記前面扉には、内部に各種図柄を設けた透明板を装着し、該透明板の端部に可変発光する複数の光源を設け、該光源を可変発光して透明板内の前記図柄に照射し、該照射された内部図柄が遊技盤の前面から視認されることを特徴とするパチンコ遊技機。
【請求項２】
前記透明板内の図柄は、透明板の内部にレーザ光を集光して多数のドットによる泡状の図柄を平面的ないし立体的に設けたものであることを特徴とする請求項１記載のパチンコ遊技機。
【請求項３】
前記内部図柄を有す透明板は、前記前面扉に装着した２枚のガラス板の間に装着したことを特徴とする請求項１乃至２記載のパチンコ遊技機。
【請求項４】
前記前面扉の透明板装着部に前記光源を設け、該光源を設けた透明板装着部に内部図柄を有す透明板を装着して透明板端部に照射することを特徴とする請求項１乃至３記載のパチンコ遊技機。
【請求項５】
前記光源は、帯体にＬＥＤチップを装着したＬＥＤチップ付帯体からなり、該ＬＥＤチップ付帯体を前記透明板の端部に設け、該ＬＥＤチップ付透明板を前記前面扉の透明板装着部に装着したことを特徴とする請求項１乃至４記載のパチンコ遊技機。
【請求項６】
前記透明板の一方の面に、中央側の遊技領域を囲うように有底の溝を設け、該有底溝内に前記ＬＥＤチップ付帯体を装着し、該ＬＥＤチップを発光して有底溝の中央側に設けた前記内部図柄を照射し、該照射された内部図柄を遊技盤の前面から視認することを特徴とする請求項１乃至５記載のパチンコ遊技機。
【請求項７】
前記前面扉の前面を透けて見える窓枠体で設け、前記透明板の有底溝にＬＥＤチップ付帯体を装着し、該ＬＥＤチップで有底溝の中央側と端部側を照射し、該有底溝の中央側と端部側に設けた前記内部図柄を照射し、該照射された中央側と端部側の内部図柄が遊技盤の前面から視認されることを特徴とする請求項１乃至６記載のパチンコ遊技機。
【請求項８】
前記前面扉の前面を透けて見える窓枠体で設け、該窓枠体と前記透明体との間に半透明の意匠シートを装着し、前記透明板の有底溝に装着した前記ＬＥＤチップを発光して透明板の中央側と端部側に設けた前記内部図柄を照射し、該照射された図柄が遊技盤の前面から視認されることを特徴とする請求項１乃至７記載のパチンコ遊技機。
【請求項９】
前記透明板に設ける内部図柄は順次位置を変えて変化する立体的な図柄に設け、該位置を変えて変化する図柄に対し、順次位置を変えて前記光源を発光させることを特徴とする請求項１乃至８記載のパチンコ遊技機。
【発明の詳細な説明】
【技術分野】
【０００１】
本発明はパチンコ遊技機に関し、特にパチンコ遊技機の前面扉の遊技盤を視認するガラス窓に光の装飾効果を持たせたパチンコ遊技機に関する。
【背景技術】
【０００２】
従来のパチンコ遊技機において、遊技盤が収納された遊技領域の前面に前面扉が開閉可能に設けられ、前面扉には透明ガラス板が二重に装着構成されている。前面窓に二重にガラス板を設けることによって、内側のガラス板で遊技盤上の遊技球が流下する案内部材としての役目と、また万一外側ガラス板が破損しても遊技盤面の遊技球が外部へ流失するのを防止する安全の役目と、更に遊技盤上を遊技球が流下する際の遊技球衝突音を遮断する役目を行なっている。
【０００３】
この種の遊技機は、遊技盤に遊技上の臨場感をもたせるため、遊技盤面に合成樹脂製の装飾図柄シートのセル板を貼付しており、また遊技盤面に液晶ディスプレイを設けて装飾図柄を可変表示させ、遊技上の装飾効果を行なっている。
また別の技術として、前面扉の二重ガラス板の間に絵柄を設けた半透明シートの飾り部材を装着し、遊技者はこの飾り部材越しに遊技盤を視認するように設けて更に遊技盤の装飾効果を高めたパチンコ遊技機もある。
【０００４】
本願の先行技術文献として次のものがある。
【特許文献１】特開２００１−１７０３１７
【発明の開示】
【発明が解決しようとする課題】
【０００５】
上記従来技術のうち前者の技術は、パチンコ機の遊技盤の面積は所定の大きさに決められており、液晶ディスプレーを大きくするとその分遊技盤の遊技領域が狭められる問題があった。
また後者の技術は、遊技盤と所定距離はなれたガラス板の間に半透明シートの飾り部材を設け、この飾り部材を通して遊技盤を視認するようにしたものであるが、半透明シートは平面的かつ静的な装飾であり、遊技上の臨場感をもたせる装飾効果としては不十分で、大きな効果が得られなかった。
本発明は上記の課題を解決するためになされたもので、前面扉の透明窓に光の装飾演出効果を持たせて、遊技における臨場感が非常に高められるパチンコ遊技機を提供することを目的とする。
【課題を解決するための手段】
【０００６】
本発明は上記の目的を達成するためになされたものであって下記構成のパチンコ遊技機である。
即ち本発明の請求項１の発明は、遊技盤前面の前面扉にガラス板を装着し、ガラス板を介して遊技盤を視認するパチンコ遊技機において、
前記前面扉には、内部に各種図柄を設けた透明板を装着し、該透明板の端部に可変発光する複数の光源を設け、該光源を可変発光して透明板内の前記図柄に照射し、該照射された内部図柄が遊技盤の前面から視認されることを特徴とするパチンコ遊技機である。
【０００７】
また請求項２の発明は、前記透明板内の図柄は、透明板の内部にレーザ光を集光して多数のドットによる泡状の図柄を平面的ないし立体的に設けたものであることを特徴とする請求項１記載のパチンコ遊技機である。
【０００８】
また請求項３の発明は、前記内部図柄を有す透明板は、前記前面扉に装着した２枚のガラス板の間に装着したことを特徴とする請求項１乃至２記載のパチンコ遊技機である。
【０００９】
また請求項４の発明は、前記前面扉の透明板装着部に前記光源を設け、該光源を設けた透明板装着部に内部図柄を有す透明板を装着して透明板端部に照射することを特徴とする請求項１乃至３記載のパチンコ遊技機である。
【００１０】
また請求項５の発明は、前記光源は、帯体にＬＥＤチップを装着したＬＥＤチップ付帯体からなり、該ＬＥＤチップ付帯体を前記透明板の端部に設け、該ＬＥＤチップ付透明板を前記前面扉の透明板装着部に装着したことを特徴とする請求項１乃至４記載のパチンコ遊技機である。
【００１１】
また請求項６の発明は、前記透明板の一方の面に、中央側の遊技領域を囲うように有底の溝を設け、該有底溝内に前記ＬＥＤチップ付帯体を装着し、該ＬＥＤチップを発光して有底溝の中央側に設けた前記内部図柄を照射し、該照射された内部図柄を遊技盤の前面から視認することを特徴とする請求項１乃至５記載のパチンコ遊技機である。
【００１２】
また請求項７の発明は、前記前面扉の前面を透けて見える窓枠体で設け、前記透明板の有底溝にＬＥＤチップ付帯体を装着し、該ＬＥＤチップで有底溝の中央側と端部側を照射し、該有底溝の中央側と端部側に設けた前記内部図柄を照射し、該照射された中央側と端部側の内部図柄が遊技盤の前面から視認されることを特徴とする請求項１乃至６記載のパチンコ遊技機である。
【００１３】
また請求項８の発明は、前記前面扉の前面を透けて見える窓枠体で設け、該窓枠体と前記透明体との間に半透明の意匠シートを装着し、前記透明板の有底溝に装着した前記ＬＥＤチップを発光して透明板の中央側と端部側に設けた前記内部図柄を照射し、該照射された図柄が遊技盤の前面から視認されることを特徴とする請求項１乃至７記載のパチンコ遊技機である。
【００１４】
また請求項９の発明は、前記透明板に設ける内部図柄は順次位置を変えて変化する立体的な図柄に設け、該位置を変えて変化する図柄に対し、順次位置を変えて前記光源を発光させることを特徴とする請求項１乃至８記載のパチンコ遊技機である。
【発明の効果】
【００１５】
本発明の請求項１の発明によれば、前面扉に、内部に図柄を設けた透明板を装着し、透明板の端部に可変発光する複数の光源を設け、光源を発光して透明板内の図柄を照射し、照射された内部図柄が遊技盤前面で視認されるもので、この光演出により遊技盤の前面を装飾する。透明板内に図柄が設けられているので、平面的な図だけでなく立体的な図も、板厚内において自由に設けることができる。
透明板内を通過する光源は通常前面から見えないが、透明板内の図柄を照明しこの反射した光が前面に表示される。この結果遊技盤の前面は、図柄に照明された光のみが表示され、この光が色を変え点滅して変化することにより、これまでにない斬新で変化のある光の装飾効果が得られ、また光源の可変発光によって遊技の臨調感が高められる。
更にまた従来、遊技盤面に設けられていたプラスチック製の装飾部品や高価な装飾発光部品を省略しても、本発明の光の演出効果によりこれをカバーし、ゲームの臨調感が高められる。従って遊技盤面から従来の装飾装置や飾り発光部品を省略することが可能になり、遊技盤上の遊技領域面積を大きく確保することができ、遊技の臨調感と共に広い遊技面積で興趣のあるパチンコ遊技が行なえる。
【００１６】
また本発明の請求項２の発明によれば、前記透明板の内部に設けた図柄は、レーザ光を透明板内部に集光して多数のドットによる泡状の図柄を平面的ないし立体的に設けたもので、遊技に関連する各種図柄が透明板内部に設けられる。
また透明板の端部は光源によって可変に発光するので、この光源が透明板内の図柄に対し、色や位置を変えて照射され、透明板内に図柄のみが色や位置を変化して遊技に連動して発光する図柄に表示される。透明板内は内部図柄に照射する反射光のみが表示され、途中の光通過経路がほとんど透明のままで見えなく、図柄のみが浮かび上がって迫力ある演出ができる。
特にこの内部図柄は、レーザ光により透明板内にドットによる泡状の図柄で自由な形状に設けることができ、透明板の材質も自由に選定でき、また図形の数値データにより容易に早く設けることができる。
この透明板内の図柄を、レーザ光により立体的な順次動きのある図柄に、また表示位置を変えて設けることができ、この位置を変えて立体的に設けられた複数の図柄に、順次位置を変えて光源を発光照射することにより、遊技に関連してカラー変化と動きのある立体的な図柄のみが遊技盤前面に表示され、臨調感あるパチンコ遊技機が提供できる。
【００１７】
また本発明の請求項３の発明によれば、前記透明板は前面扉に装着された２枚のガラス板の間に装着される。前面扉に装着されている２枚のガラス板は、通常固定されてないので、前面扉の２枚のガラス板間にこの透明板を装着することで、ガラス板が固定され、遊技中におけるガラス板の振動及び騒音が防止され、静音化する。
またガラス板と透明板とを併せた透明体の厚みと強度が増し、従来に比べてガラス板の破損が防止され、安全が高められる。この結果、安全で静かなパチンコ遊技機が提供できる。
【００１８】
また本発明の請求項４の発明によれば、光源は前面扉の透明板装着部に設けられ、透明板の端部を照射するから、照射光は透明板の端部から透明板内の図柄を照射し、この照射された図柄がカラー発光して透明板に表示される。
透明体装着部に光源が設けられているため、図柄が異なる別の透明板と交換することが容易にでき、また別の透明板に交換しても透明板の端部を光源が照射するので、交換作業が容易に行なわれる。
【００１９】
また本発明の請求項５の発明によれば、帯体にＬＥＤチップを装着したＬＥＤチップ付帯体を透明板の端部に装着したから、透明板の端部にＬＥＤ光源を容易に設けることができる。またＬＥＤ光源の数を増して輝度を増すことも容易で、光源設置の自由度が増し、前面扉の構成が簡単に行なえる。
更に透明板の端部にＬＥＤ光源を容易に設置できるので、前面扉に設ける透明板装着部の光源設置構造が簡単になり、パチンコ遊技機全体が簡単な構造で形成できる。
【００２０】
また本発明の請求項６の発明によれば、透明板の一方の面に、中央側を囲う帯体装着用の有底溝が設けられ、この有底溝にＬＥＤチップ付帯体が装着され、帯体のＬＥＤチップが透明板の中央側を照射する。これによってＬＥＤチップ付帯体を透明板へ装着するのが一層容易になる。
また遊技盤の遊技領域に沿って上記帯体を装着する有底溝を形成することができる。この場合、帯体のＬＥＤ光源が遊技領域に近接して設けられ、透明体の内部図柄を近い位置から照射し、この照射された内部図柄の輝度が増し、光の演出効果が増す。
【００２１】
また本発明の請求項７の発明によれば、前面扉の前面は透明な窓枠体で設けられ、透明板の帯体装着溝に装着されたＬＥＤチップ付帯体は透明板の中央部と共に端部側も照射される。従って、遊技盤遊技領域の外側に設けた内部図柄が照射され、前面扉の透明窓枠体を通して視認される。
従って有底溝の中央側遊技領域と共に、その周囲の窓枠体も光の演出効果が発揮され、パチンコ機の前面全体で光の装飾演出効果を行なうことが可能になる。
【００２２】
また本発明の請求項８の発明によれば、前面扉の前面は透明な窓枠体で設けられ、更に窓枠体と透明体との間に半透明の意匠シートが装着され、前面からはこの意匠シートが視認される。意匠シートは半透明であり、透明板の帯体装着用有底溝に装着したＬＥＤチップ付帯体は有底溝の中央側と共に端部側も照射するから、遊技機前面から透明な窓枠体を通して、また半透明な図柄意匠シートを通して、透明体内に発光する内部図柄が視認される。
このため中央側の遊技領域だけでなく、その周りの窓枠体も前面扉の意匠シートに付加して透明体の内部図柄が発光し、光の演出効果が得られる。このためパチンコ機の前面全体が非常に大きな光の演出効果が得られる。
【００２３】
また本発明の請求項９の発明によれば、透明板に順次位置を変えて変化する立体的な内部図柄を設け、該位置を変えて設けられた内部図柄に対し、順次位置を変えて光源を発光照射することにより、この位置を変えて立体的に設けられた複数の図柄が、順次位置を変えて前面に表示される。
従って遊技盤に関連してカラー変化と動きのある立体的な図柄が遊技盤の前面に動いて表示され、臨調感あるカラー表示が行なえる。例えば人物が躍動していたり、動物が走って見えたり、サイコロが転動して見えたり等、動きのある図柄がカラー変化を交えて立体的に可変表示される。従って臨調感あるパチンコ遊技機が提供できる。
【発明を実施するための最良の形態】
【００２４】
以下本発明の実施例について説明する。
図１は本発明の一実施例を示すパチンコ遊技機の斜視図である。
パチンコ遊技機１は概略、外側に木製の外枠２があり、外枠２の左上は連結部３で、左下に本体枠連結金具１６があり、中枠５が左上連結部３と左下の本体枠連結金具１６に枢着され、外枠２の左側縁に対して片開き自在に設けられている。中枠５に遊技が行なわれる略四角形状の遊技盤７や遊技盤７上にパチンコ機の遊技部品（図示せず）が装着されている。
【００２５】
さらに中枠５の前面であって遊技盤７の前面に略円形状の開口窓６を有す前面扉１０が左上側の連結部３と連結金具４を軸に開閉自在に設けられる。前面扉１０の開口窓６の後部は遊技盤７や遊技盤の遊技領域８になっている。
前面扉１０の下部は供給皿１２を備えた上受け皿１１が、また上受け皿１１の下部は貯留皿１４や灰皿１５を備えた下受け皿１３が左側の各連結金具に支持されて開閉自在に取付けられている。外枠２の左側端に設けられているにはプリペイドカードユニット９である。右下部に遊技球発射ハンドルがあり、ハンドルを回転して遊技球を遊技領域内に発射し遊技が行なわれる。
【００２６】
図２は上記図１の前面扉１０の分解斜視図を示し、前面扉１０は、アクリル樹脂等のクリアな透明樹脂材料で一体成形された窓枠体２１と、窓枠体２１の裏面に装着した半透明の図柄意匠シート３１と、図柄意匠シート３１の裏面で窓枠体２１と一体に組付けられるガラス枠体４１と、から前面扉１０が設けられる。
ガラス枠体４１は窓枠体２１に嵌着するほぼ正方形の枠で、窓枠体２１の開口窓６とほぼ同寸の円形開口部４０を備え、また裏面にガラス板などの透明体５１を装着する保持レール４２、４３が備えられている。
【００２７】
この保持レール４２、４３にガラス板や透明板等の透明体５１が装着されて遊技盤７の前面を覆っている。ガラス枠体４１は通常樹脂製で、前部の窓枠体２１とビス等の取付け具で固定され、また窓枠体２１からガラス枠体４１へ向かって突出する矢尻状係止突起に嵌合し、図柄意匠シート３１を狭着して窓枠体２１とガラス枠体４１とが一体に組付け固定されている。
【００２８】
透明体５１は、所定の間隔で装着された前後２枚のガラス板５２、５３と、２枚のガラス板５２、５３の間に装着された透明板５４とで設けられる。
透明板５４は無色透明なポリカーボネイトやアクリル樹脂板で形成され、遊技者が直接視認できる窓４０内の位置や、透明な窓枠体２１や半透明の図柄意匠シート３１を通して視認される窓４０より外側の位置に、ゲームに関連する図柄や文字などの輪郭を形作った図柄（図示省略）が透明体５１内設けられている。
【００２９】
この透明体５１内に設けられる図柄は、照射するレーザ光をレンズで透明体の内部に集光させ、この集光熱によって非接触で透明体内部に泡状のドット図柄を設けたもので、通常レーザ加工機によって自動で設けられる。特にレーザ光により非接触で透明板内にドットによる泡状の図柄で自由な形状に設けるため、透明板の材質も自由に選定でき、また図形の数値データにより容易に短時間に設けることができる。
【００３０】
この透明板内の図柄は、立体的な順次動きのある複数の図柄に位置を変えて順に設けることができ、この位置を変えて順次動きのある立体的な複数の図柄に対して、順次動きの順序で位置を変えて光源を発光させることができ、例えば人物が体操しているように躍動していたり、動物が獲物を追うように走って見えたり、サイコロやボーリングのピンが転動して見えたり、動きのある図柄を立体的にカラー変化して可変表示されることが出来る。
【００３１】
図２において、透明体５１の両側部には多数のＬＥＤ光源５７が設けられ、ガラス枠体４１の透明体保持レール４２、４２間に装着される。このＬＥＤ光源は樹脂製帯体５５に複数個のＬＥＤチップ５６を装着したＬＥＤチップ付帯体５７で、実施例では直線状の帯体５５にＬＥＤチップ５６を多数設けたＬＥＤチップ付帯体５７を透明体５４の両側部に２個設け前面扉に装着したが、両側部と更に低部を囲うようにコの字型に曲げられたコの字型ＬＥＤチップ付帯体５７を透明体保持レール４２、４３に装着し、透明体５１をガラス枠体４１の保持レール４２、４３に装着するだけで、透明体５１の３方からＬＥＤ光源が照射されるようにしてもよい。
【００３２】
また透明体５４の端部周囲を囲うようにＬＥＤチップ付帯体５７を装着しておき、この帯体５７付の透明体５４をガラス枠体４１に装着して光源を照射することも可能である。
透明板内を通過する光源は通常前面から見えないが、透明板内の図柄５９を照明しこの反射した光が前面に表示される。この結果遊技盤の前面は、図柄に照明された光のみが表示され、この光が色を変え点滅して変化することにより、これまでにない斬新で変化のある光の装飾効果が得られ、また光源の可変発光によって遊技の臨調感が高められる。
【００３３】
また図３は、本発明の別の実施例を示す透明板５４で、この実施例では、透明板５４の一方の面に有底の環状溝５８を遊技領域の周囲に相当する位置に設け、この有底環状溝５８にＬＥＤチップ付帯体５７を装着したものである。
この有底環状溝５８は、遊技盤の遊技領域６に相当する位置と大きさに設けられている。また帯体５７のＬＥＤチップ５６は、帯体５５の内側と外側を発光するように、帯体５５の内外両面にＬＥＤチップ５６が設けられ、内外両面を照射するように設けている。
【００３４】
この透明板５４には、有底環状溝５８の内外部に前記レーザ光線による内部図柄５９、６０が設けられている。この環状溝５８の内側位置に設けた内部図柄５９、外側位置に設けた内部図柄６０は、図形省略するが遊技に関連する図柄に設けられ、環状溝５８に装着した内外部を照射するＬＥＤチップ付帯体５７によって内部図柄５９、６０が照射されてカラー発光し、遊技盤の前面に表示される。このカラー発光する図柄は、遊技盤遊技領域６より外側は透明な窓枠体２１や半透明な意匠シート３１を通してカラー発光表示される。
【００３５】
透明板５４の材料はアクリル樹脂やポリカーボネイト樹脂で設けられる。また透明板５４内に設ける内部図柄の形成方法は、前記レーザ光による加工法の外、２枚の透明板を貼り合せて１枚の透明板に設け、この貼り合せ面に図柄を形成して内部図柄を設けることも可能である。
透明板５４の端部で発光する光源５６の発光態様は、光源発光制御装置により、例えば大当たり時やリーチ時などの遊技態様に対応して所定のカラーで可変に発光し、また光源の発光位置を変えて複数個の内部図柄に順次照射することができる。
【００３６】
図４は本発明の別の実施例を示し、前面から遊技盤面を見た概略図である。透明板５４の内部に、遊技盤の遊技球発射レール８１に沿って順次大きくなる複数のサイコロ図柄５９が立体的に表示されている。このサイコロ図柄５９の外側には前記実施例の環状のＬＥＤチップ付帯体装着用有底溝５８が設けられ、この透明板５４の一方の面に設けた環状溝５８にＬＥＤチップ付帯体５７が装着され、環状溝５８の内側を照射している。このＬＥＤチップ付帯体５７のＬＥＤチップ５６は、例えばレール８１を通過する遊技球発射のタイミングに合わせて、順次上部へ向かってＬＥＤチップ５６が発光し順次サイコロ図柄５９を照射する。下部から上部へ全部のＬＥＤチップ５６が発光し終えたら、リセットされて全部消え、再度下から上へ光源５６が発光し、サイコロ図柄５９が遊技球の発射にあわせて遊技領域へ飛び出す様にカラー変化表示される。
【００３７】
このように複数の立体的な図柄５９に対して、順次カラー光源５６の色を変えて、また発光位置を変えて、立体的な図柄５９に発光照射することにより、照射された図柄が順に浮かび上がって表示されるので、あたかも動いているように表現され、迫力のある光の演出が発揮される。カラー光源５６の配置について、図４の実施例では透明板５４に環状溝５８を設け、環状溝内にＬＥＤチップ付帯体５７を装着したが、図２の実施例のように透明体の端部に多数のカラー光源を装着して順次可変に発光してもよい。
従って、遊技に関連したカラー変化と動きのある立体的な図柄を、遊技盤の前面に動いているごとく色を変えて例えば照射された図柄のみ反射光が表示されるから、臨調感と迫力ある光の装飾表示が行なえる。
【００３８】
内部図柄はレーザ光により非接触で設けられるから、例えば透明板５４内に設ける図柄を人物が躍動していたり、動物が走っていたり、図４のごとくサイコロが転動しているように設けるのが容易にでき、動きのある図柄をカラー変化を交えて立体的に可変表示させることができ、臨調感ある迫力ある光演出と装飾効果を発揮したパチンコ遊技機を提供できる。
【００３９】
またこの結果、従来から遊技盤面に設けられていた、プラスチック製の装飾部品や高価な装飾発光部品を省略しても、本発明の光の演出効果によりこれをカバーし、ゲームの臨調感が高められる。従って遊技盤面から従来の高価な装飾装置や飾り発光部品を省略することが可能になり、更に遊技盤上の遊技領域面積を大きく確保することができ、遊技の臨調感と共に広い遊技面積で迫力ある光装飾効果をもった、興趣のあるパチンコ遊技が行なえる。
【産業上の利用可能性】
【００４０】
特に遊技盤の前部に設ける前面扉にガラス板を装着し、ガラス板を通して視認するパチンコ機に好適なものである。
【図面の簡単な説明】
【００４１】
【図１】本発明の一実施例を示すパチンコ遊技機の正面斜視図である。
【図２】本発明の一実施例の前面扉を示す分解斜視図である。
【図３】本発明の一実施例の前面扉に装着する透明体を示す図である。
【図４】本発明の別の実施例の遊技盤前面を示す図である。
【符号の説明】
【００４２】
２  外枠                              ３  連結部
４  連結金具                          ５  中枠
６  開口窓                            ７  遊技盤
８  遊技領域                          ９  プリペイドカードユニット
１０  前面扉                        １１  上受け皿
１２  供給皿                        １３  下受け皿
１４  貯留皿                        １５  灰皿
２１  窓枠体                        ３１  図柄意匠シート
４０  窓                            ４１  ガラス枠体
４２、４３  透明体保持レール        ５１  透明体
５２、５３  ガラス板                ５４  透明板
５５  樹脂製帯体                    ５６  ＬＥＤチップ
５７  ＬＥＤチップ付帯体            ５８  有底の環状溝
５９、６０  透明板に設けた内部図柄
【図１】
2005245806.tif 000003
【図２】
2005245806.tif 000004
【図３】
2005245806.tif 000005
【図４】
2005245806.tif 000006